(57)【要約】【課題】本発明は、例えば、ケーブルとコンタクトとを圧着構造によって接続する場合であって、ケーブル端部の圧着コンタクトを相手方コネクタにおける平板コンタクトタイプの雄コンタクトに接続させることが課題である。【解決手段】平板コンタクトタイプの相手方コネクタに嵌合して平板コンタクトとケーブルとを電気的に接続する電気コネクタ１であって、該コネクタの絶縁ハウジング２には、前記相手方コネクタの平板コンタクトに摺接する接触片をコンタクト先端側に有し、ケーブル用の圧着コンタクトに嵌合する接合片をコンタクト後端側に有して成る圧着対応コンタクト３が所要数併設されている電気コネクタとするものである。【選択図】　図１
2004031206.tif 000002
【特許請求の範囲】
【請求項１】
平板コンタクトタイプの相手方コネクタに嵌合して平板コンタクトとケーブルとを電気的に接続する電気コネクタであって、
該コネクタの絶縁ハウジングには、
前記相手方コネクタの平板コンタクトに摺接する接触片をコンタクト先端側に有し、ケーブル用の圧着コンタクトに嵌合する接合片をコンタクト後端側に有して成る圧着対応コンタクトが所要数併設されていること、
を特徴とする電気コネクタ。
【請求項２】
絶縁ハウジングは、
圧着対応コンタクトの先端側をコンタクト孔に収納して相手方コネクタに嵌合するコネクタ用ハウジングと、
圧着対応コンタクトの後端側を内部空間部に収納するケーブル用ハウジングとでなり、
前記コネクタ用ハウジングの後部と前記ケーブル用ハウジングの前部とを一体的に嵌合させて形成されていること、
を特徴とする請求項１に記載の電気コネクタ。
【発明の詳細な説明】
【０００１】
【発明の属する技術分野】
本発明は、例えば、ケーブルとコンタクトとを圧着構造によって接続する場合であって、ケーブル端部の圧着コンタクトを相手方コネクタにおける平板コンタクトタイプの雄コンタクトに接続させるための電気コネクタに関する。
【０００２】
【従来の技術】
従来、図８に示すように、圧着コンタクト２１の後端部にケーブル２２の端部を工具等でかしめて圧着し、前記圧着コンタクト２１の先端部を、雄型コネクタ２３の雄型コンタクト２３ａに嵌合させるには、当該雄型コネクタ２３における接続用開口部２３ｂに、雌型コネクタ２４の一端側開口部から複数併設されている挿入孔２４ａのそれぞれにガイドさせて挿通し固定した圧着コンタクト２１を有する雌型コネクタ２４を差し込んで嵌合させるものである。
【０００３】
前記雄型コンタクト２３ａは、通常、角型のピンである。前記圧着コンタクト２１が繰り返し抜き差しされても、座屈する事が無いような大きさになっている。
【０００４】
【発明が解決しようとする課題】
近年、機器装置等の軽薄短小化により、前記雄型コンタクト２３ａが益々細径化されて細くなり、座屈のおそれが出てきたので、図９に示すように、合成樹脂製の平板体２５を形成し、その上に雄型コンタクトピン２６を平行に併設してなる雄コネクタ２０が知られている。前記平板体２５の存在により、繰り返して抜き差しされても、座屈のおそれがないものとなる。
【０００５】
しかし、このコンタクト接続構造では、前記雄型コンタクトピン２６に接続させる雌型コンタクトは、当該雄型コンタクトピン２６の上面に摺接する接触片を先端側に有するベローズタイプのものになり、一方、ケーブル２２を接続する後端側においては、半田付け若しくは圧接によるケーブル接続構造となることが多い。よって、圧着工具を使用することで接続容易な圧着タイプのコンタクトを使用するのが困難となる。
【０００６】
また、ベローズタイプの雌型コンタクトであると、ケーブル２２を半田付けする接続構造の場合には、工数が掛かってコストが嵩み、ケーブル固定のクランプも別工程となってしまうという課題がある。更に、圧接する接続構造の場合には、電源等の高電流には不向きであるとともに、ケーブル固定力に不安が伴う等という課題がある。本発明に係る電気コネクタは、このような課題を解消するために提案されたものである。
【０００７】
【課題を解決するための手段】
本発明に係る電気コネクタの上記課題を解決するための要旨は、平板コンタクトタイプの相手方コネクタに嵌合して平板コンタクトとケーブルとを電気的に接続する電気コネクタであって、該コネクタの絶縁ハウジングには、前記相手方コネクタの平板コンタクトに摺接する接触片をコンタクト先端側に有し、ケーブル用の圧着コンタクトに嵌合する接合片をコンタクト後端側に有して成る圧着対応コンタクトが所要数併設されていることである。
【０００８】
前記絶縁ハウジングは、圧着対応コンタクトの先端側をコンタクト孔に収納して相手方コネクタに嵌合するコネクタ用ハウジングと、圧着対応コンタクトの後端側を内部空間部に収納するケーブル用ハウジングとでなり、前記コネクタ用ハウジングの後部と前記ケーブル用ハウジングの前部とを一体的に嵌合させて形成されていることを含むものである。
【０００９】
本発明に係る電気コネクタによれば、平板コンタクトタイプの相手方コネクタであっても、当該電気コネクタを介して、ケーブル端部に圧着コンタクトを使用して、座屈のおそれなく接続することができるようになる。よって、ケーブルの接続が容易になる。
また、絶縁ハウジングを、コネクタ用ハウジングとケーブル用ハウジングとの２ピースに形成して、これを一体的に組み立てて構成することで、ベローズタイプの接触片と圧着コンタクト用の接合片とを有して成る圧着対応コンタクトを容易に装着することができるものである。
【００１０】
【発明の実施の形態】
次に、本発明に係る電気コネクタ１について図面を参照して説明する。なお、発明の理解を容易にするため、従来例に対応する部分には、従来例と同一符号を付けて説明する。
【００１１】
前記電気コネクタ１は、相手方コネクタ２０が、図９に示すように、平板コンタクトタイプである場合に、平板コンタクト２６と電源等のケーブル２２とを電気的に接続させるためのものである。
【００１２】
この電気コネクタ１は、図１に示すように、該コネクタの筐体を形成する絶縁ハウジング２と、該絶縁ハウジング２に複数で平行に配設される圧着対応コンタクト３とからなる。
【００１３】
前記コネクタ１の絶縁ハウジング２は、図１乃至図２に示すように、前記圧着対応コンタクト３の先端側の接触片３ａをコンタクト孔４ａに収納して相手方コネクタ２０に嵌合するコネクタ用ハウジング４と、圧着対応コンタクト３の後端側の接合片３ｂを内部空間部５ａに収納するケーブル用ハウジング５との、２ピースからなる。
【００１４】
前記コネクタ用ハウジング４は、図３に示すように、先端側の空間部にコンタクト孔４ａが平行に配設され、当該ハウジングの上下面に、前記ケーブル用ハウジング５に嵌合させたときの抜け止め用の係止部４ｂが２箇所ずつ設けられている。また、後端側部には、ハウジング側縁部から係合腕部４ｃが突設されており、後述のケーブル用ハウジング５の係合孔５ｆに嵌合するようになっている。
【００１５】
前記ケーブル用ハウジング５は、図４に示すように、先端部側に前記コネクタ用ハウジング４の後端部を嵌装させる空間部５ｂがあり、前記係合腕部４ｃが嵌合される嵌合孔５ｃが設けられている。そして、前記空間部５ｂに臨み後側に貫通した矩形状の貫通孔５ｄが所要数設けられている。後端部側には、圧着コンタクト２１が装着される部位が設けられ、所要間隔を置いて併設されている壁５ｅで仕切られている。このハウジング５の上下面には、前記空間部５ｂから外部へ貫通された嵌合孔５ｆが穿設されていて、ここに前記係止部４ｂが係合する。
【００１６】
前記圧着対応コンタクト３は、図５に示すように、先端側に相手方コネクタ２０の平板コンタクト２６に摺接する、ベローズタイプの接触片３ａが形成され、後端側に平板状で断面矩形状の接合片３ｂが形成されている。また、この接合片３ｂの一端側において曲げ残した平坦部の端面３ｃは、ケーブル２２に圧着される後述の圧着コンタクト６による嵌合時の押圧力によって、屈曲部３ｄが曲げられるのを防止するためにある。
【００１７】
この圧着対応コンタクト３を前記絶縁ハウジング２に組み込むには、まず、前記コネクタ用ハウジング４に対して、前記接触片３ａをコンタクト孔４ａの後方から差し込んで圧入して、前記圧着対応コンタクト３を組み込む。
【００１８】
次に、ケーブル用ハウジング５に対して、矩形状の貫通孔５ｄに圧着対応コンタクト３の接合片３ｂを位置合わせするとともに、コネクタ用ハウジング４の係合腕部４ｃを係合孔５ｃに嵌合位置合わせして、各々差し込む。図１に示すように、前記接合片３ｂは、内部空間部５ａに突出し、係止部４ｂが係合孔５ｆに係合して抜け止めとなる。
【００１９】
こうして、図１乃至図２に示すように、コネクタ用ハウジング４の後部とケーブル用ハウジング５の前部とを一体的に嵌合させて、絶縁ハウジング２が形成される。
【００２０】
電源用ケーブル等のーブル２２の端部に工具等で圧着する圧着コンタクト６は、図６に示すように、ケーブル２２を把持する把持部６ａ、芯線を圧着する圧着部６ｂ、前記接合片３ｂと係合するように形成された係合部６ｃ、及び抜け防止突起６ｄが形成されている。
【００２１】
このようにして、本発明の電気コネクタ１を使用して、相手方コネクタ２０と電気的に接合するには、図７に示すように、電気コネクタ１に、ケーブル２２を圧着して把持した圧着コンタクト６を内部空間部５ａの後方から挿入して接合片３ｂに嵌合させて、接続する。当該接合片３ｂは、平板状で従来例の各ピンよりもはるかに断面積が大きいので座屈するおそれも無く、また、端面３ｃが接続時において先後方向の押圧力を受けても、コネクタ用ハウジング４におけるハウジングの端面４ｄに該端面３ｃが当接して反力を得るので、屈曲部３ｄが曲げられることもない。
【００２２】
前記圧着コンタクト６を電気コネクタ１に装着した後、図８に示すように、蓋部材７を前記内部空間部５ａへ閉蓋する。この蓋部材７に突設されたガイド突起７ａがケーブル用ハウジング５のガイド孔５ｇ（図４（Ｂ）参照）に挿入され、係止突起７ｂが同じくハウジング５の係止孔５ｈ（同図４（Ｂ）参照）に挿入されて係止される。この蓋部材７をケーブル用ハウジング５に装着したことで、圧着コンタクト６の抜け防止突起６ｄが蓋部材７の一部に係止されて、ケーブル２２の先後方向の抜けが防止される。
【００２３】
そして、図７に示すように、前記ケーブル２２を接続した電気コネクタ１を、平板コンタクトタイプの相手方コネクタ２０に嵌合させて接続し、雄型コンタクトピン２６と圧着コンタクト６とを、圧着対応コンタクト３を介して、電気的接続が図られるものである。
【００２４】
【発明の効果】
以上説明したように、本発明に係る電気コネクタは、平板コンタクトタイプの相手方コネクタに嵌合して平板コンタクトとケーブルとを電気的に接続する電気コネクタであって、該コネクタの絶縁ハウジングには、前記相手方コネクタの平板コンタクトに摺接する接触片をコンタクト先端側に有し、ケーブル用の圧着コンタクトに嵌合する接合片をコンタクト後端側に有して成る圧着対応コンタクトが所要数併設されているので、平板コンタクトタイプの相手方コネクタであっても、圧着対応コンタクトの接合片が座屈することなく、ケーブル端部に圧着コンタクトを使用することが可能となるとともに、コンタクトに対するケーブルの接続作業が容易になる。
【００２５】
前記絶縁ハウジングは、圧着対応コンタクトの先端側をコンタクト孔に収納して相手方コネクタに嵌合するコネクタ用ハウジングと、圧着対応コンタクトの後端側を内部空間部に収納するケーブル用ハウジングとでなり、前記コネクタ用ハウジングの後部と前記ケーブル用ハウジングの前部とを一体的に嵌合させて形成されているので、圧着対応コンタクトの組み込みが容易となるばかりでなく、接合片の反力部が形成されて、圧着コンタクトを強く差し込んで嵌合させることができると言う優れた効果を奏するものである。
【図面の簡単な説明】
【図１】本発明に係る電気コネクタ１の断面図（Ａ）と、絶縁ハウジングの嵌合部分を示した断面図（Ｂ）である。
【図２】同本発明に係る電気コネクタ１における絶縁ハウジング２の、背面図（Ａ）、平面図（Ｂ）、正面図（Ｃ）である。
【図３】同本発明に係る電気コネクタ１における、コネクタ用ハウジング４の背面図（Ａ）、平面図（Ｂ）、側面図（Ｃ）、正面図（Ｄ）である。
【図４】同本発明に係る電気コネクタ１における、ケーブル用ハウジング５の背面図（Ａ）、平面図（Ｂ）、側面図（Ｃ）、正面図（Ｄ）である。
【図５】同本発明に係る電気コネクタ１における、圧着対応コンタクト３の平面図（Ａ）と、正面図（Ｂ）である。図である。
【図６】圧着コンタクト６に係る、キャリア８に付いた状態の平面図（Ａ）、同キャリア８から切断した状態の正面図（Ｂ）、同Ａ−Ａ線に沿った断面図（Ｃ）、同Ｂ−Ｂ線に沿った断面図（Ｄ）である。
【図７】電気コネクタ１の使用状態を示す説明図（Ａ）、（Ｂ）である。
【図８】従来例に係る雌型コネクタの使用状態を示す説明図である。
【図９】相手方コネクタ２３の断面図（Ａ）、平面図（Ｂ）、底面図（Ｃ）である。
【符号の説明】
１　　　　電気コネクタ、　　　　２　　　　　　絶縁ハウジング、
３　　　　圧着対応コンタクト、　３ａ　　　　　接触片、
３ｂ　　　後端側、　　　　　　　３ｃ　　　　　端面、
３ｄ　　　屈曲部、　　　　　　　４　　　　　　コネクタ用ハウジング、
４ａ　　　コンタクト孔、　　　　４ｂ　　　　　係止部、
４ｃ　　　係合腕部、　　　　　　５　　　　　　ケーブル用ハウジング、
５ａ　　　内部空間部、　　　　　５ａ　　　　　内部空間部、
５ｃ　　　嵌合孔、　　　　　　　５ｄ　　　　　貫通孔、
５ｅ　　　壁、　　　　　　　　　５ｆ　　　　　係合孔、
５ｇ　　　ガイド孔、　　　　　　５ｈ　　　　　係止孔、
６　　　　圧着コンタクト、　　　６ａ　　　　　把持部、
６ｂ　　　圧着部、　　　　　　　６ｃ　　　　　係合部、
６ｄ　　　抜け防止突起、　　　　７　　　　　　蓋部材、
２０　　　相手方コネクタ、　　　２２　　　　　ケーブル、
２５　　　平板体、　　　　　　　２６　　　　　平板コンタクト。
【図１】
2004031206.tif 000003
【図２】
2004031206.tif 000004
【図３】
2004031206.tif 000005
【図４】
2004031206.tif 000006
【図５】
2004031206.tif 000007
【図６】
2004031206.tif 000008
【図７】
2004031206.tif 000009
【図８】
2004031206.tif 000010
【図９】
2004031206.tif 000011